(57)【要約】【課題】調整用ツマミを調整したい方向と同一方向に操作して被支持体の高さを調整することができる高さ調整装置を提供する。【解決手段】投射型映像表示装置の筐体１２の高さを筐体１２からの突出量で調整する螺子状の調整脚１８と、調整脚１８と螺合して調整脚１８を筐体１２から突出させるネジ駒機構４０と、筐体１２から突出させる調整脚１８の突出量を調整するギア機構６０とを有しており、ギア機構６０は、ケース嵌合部５２の貫通孔５６から出入り可能な調整脚１８の頭部に固定用雄ネジ６４で固定されるナット状固定具である多角形軸６２と、多角形軸６２を介して調整脚１８を案内する多角形筒状の脚ガイド６６と、中央部に傘歯車６８を有する円盤状の調整用ツマミ２４とを備え、脚ガイド６６の周端部には調整用ツマミ２４の傘歯車６８と螺合する傘歯車６７が設けられている。【選択図】図４
2008116577.tif 000002
【特許請求の範囲】
【請求項１】
被支持体の高さ調整を該被支持体からの突出量で調整する螺子状の調整脚と、該調整脚と螺合して該調整脚を前記被支持体から突出させる螺合部とを備える高さ調整装置において、
前記被支持体からの前記調整脚の突出量を調整するギア機構を有しており、
該ギア機構は前記高さ調整と同一の調整方向に操作する調整用ツマミを有することを特徴とする高さ調整装置。
【請求項２】
前記ギア機構は、
前記調整用ツマミに設けられた第１歯車と、
該第１歯車と螺合する第２歯車を有して回動するとともに、前記調整脚を案内する多角形筒状の脚案内筒と、
前記調整脚の一端に固定されており、前記脚案内筒に嵌挿される摺動可能な摺動部とを有することを特徴とする請求項１に記載の高さ調整装置。
【請求項３】
前記第１歯車及び前記第２歯車が傘歯車であることを特徴とする請求項２に記載の高さ調整装置。
【請求項４】
前記被支持体が前記ギア機構を複数有しており、
一方のギア機構が他方のギア機構に対して逆ネジのギア機構であることを特徴とする請求項１乃至３のいずれか一つに記載の高さ調整装置。
【請求項５】
前記被支持体に前記調整脚及び前記ギア機構がそれぞれ一つ設けられていることを特徴とする請求項１乃至３のいずれか一つに記載の高さ調整装置。
【請求項６】
前記被支持体が、光源と、該光源の光を反射又は透過する映像表示部とを有する筐体であり、
前記請求項１乃至５のいずれか一つに記載の高さ調整装置により前記筐体の高さ調整をするようにしてあることを特徴とする投射型映像表示装置。
【発明の詳細な説明】
【技術分野】
【０００１】
本発明は、被支持体の高さを調節する高さ調整装置及び該高さ調整装置を備える投射型映像表示装置に関する。
【背景技術】
【０００２】
従来、ＯＨＰ及び映像表示装置等の電子機器を床又はテーブルなどに配置する場合、電子機器が所定の姿勢を保持するために、電子機器の高さ及び仰角を調節することが多いが、容易に電子機器の高さの調整を行なうことが出来るように、電子機器に高さ調整装置（アジャスタ）を設けたものが知られている。
【０００３】
この種の高さ調整装置を備える電子機器として以下の提案がある。
特許文献１に示す画像表示装置の例では、回転ノブを回転させ、駆動力を水平軸に供給すると、水平軸の他端に設けたネジギアが回転し、ネジギアが螺合する垂直軸に設けた歯車を回転させることにより垂直軸が回転し、垂直軸先端部のネジギアが回転し、伸縮足の伸縮部の筒内の雌ネジが螺合することにより伸縮足が上下方向に移動するようにして、投射画像を見ながら水平及び仰角を調整できるようにしている。
【０００４】
特許文献２に示すアジャスタ装置及び家電機器の例では、アジャスタ装置は、高さ調整軸、調整脚、アジャスタケースからなり、高さ調整軸は、下部にウォームが取り付けられ、上部にツマミが取り付けられており、調整脚は、断面４角形状の軸からなり、１つの面にウォームと噛み合うラックが所定の長さに亘って形成されており、下端に支持台と接触する足部材が取り付けられており、アジャスタケースの外部に取り付けられたツマミを回すことにより高さ調整軸とともにウォームを回転させ、ラックを駆動し、調整脚の突出量を調節し、投映装置等の家電機器の姿勢を上下に調整させるようにしている。
【０００５】
特許文献３に示すプロジェクターのチルト装置の例では、側面のラックギア及び下端の接地部を備えた足支持部と、足支持部を移動可能に収納すると共にプロジェクター本体内部に垂設されるガイドとでなる１本の伸縮足と、ラックギアに螺合するピニオンギアとピニオンギアの軸に連設しウォームギアに螺合するウォームホイールを備える第一伝達部と、ウォームギアとウォームギアの軸に連設した変速ギアとを備える第二伝達部とでなる回転駆動力伝達部と、第二伝達部の軸に連設する駆動モータと、指示信号を受信し指示命令を取出す受信処理部と、駆動モータ、回転駆動力伝達部及び受信処理部を制御する制御部とを備えることにより、駆動モータの正回転制御により伸縮足を伸ばし、逆回転制御により伸縮足を縮めて仰角調整ができ、また二本の伸縮足を別々に動作させて水平調整ができるようにしている。
【０００６】
ところで、図１１は従来の投映高さ調整装置を備えたプロジェクターを示す斜視図であり、図１２は従来の投映高さ調整装置を示す断面図である。
従来の投映高さ調整装置は、図１１及び図１２に示すように、プロジェクター１を持ち上げ、雄ネジの投映高さ調整脚２と雌ネジのネジ駒４との螺合をレバー３で解除し、概略の位置に調整した後、投映高さ調整脚２の調整つまみ７を左又は右に回転させ、投映高さ調整脚２の突出量により上方又は下方に微調整を行っている。
【０００７】
なお、図１１中、黒矢印は調整つまみ７の回転方向を示し、符号６は投射レンズを示す。また図１２中、符号５はネジ駒４を回動可能に支持するケースを示し、符号８は調整つまみ７を回動可能に支持する脚台を示す。
また図１１及び図１２の白抜き矢印は、レバー３のロック解除方向であり、雄ネジの投映高さ調整脚２と雌ネジのネジ駒４との螺合をとく方向を示す。
【特許文献１】特開２００２−２４１８７５号公報
【特許文献２】特開２００６−１０６４８７号公報
【特許文献３】特開２００３−５２７９号公報
【発明の開示】
【発明が解決しようとする課題】
【０００８】
しかしながら、従来の投映高さ調整装置は、投映高さ調整脚２の突出量の微調整を行う時に、一度左回転又は右回転させて、上方又は下方への調整方向を確認してから調整を行っており、また本体に表示されている操作表示又は取り扱い説明書を確認した後、脚を回転させ、脚の突出量を調整していた。
特許文献１に示す例でも、画像表示装置側部の回転ノブを、投射画像を見ながら回転させており、また特許文献２に示す例でも、投映装置等のアジャスタ装置のツマミを左右に回すことにより調整脚の突出量を調節しており、回転方向と上下方向の対応を、投射画像又は説明書等で確認する（しておく）必要がある。
また、特許文献３に示す例でも、赤外線方式のリモコン受信部の受光窓をプロジェクター本体後部面に設けてプロジェクター本体の後方から投射画面を見ながらリモコンで調整しており、投射画像で上下方向の移動を確認する必要がある。
【０００９】
本発明は、このような事情に鑑みてなされたものであって、その目的とするところは、被支持体の調整方向と同一の方向に調整用ツマミを操作して被支持体の高さを調整するようにしてある構成を備えることにより、調整用ツマミを調整したい方向と同一の方向に操作して被支持体の高さを調整することができる高さ調整装置を提供することにある。
【００１０】
また本発明の他の目的とするところは、被支持体の調整方向と同一の方向に調整用ツマミを回動させると、調整用ツマミと連動する脚案内筒が回動して、被支持体に対して調整脚を上下方向に移動させる構成を備えることにより、調整用ツマミの操作に応じて被支持体からの調整脚の突出量を調整することができる高さ調整装置を提供することにある。
【００１１】
また本発明の他の目的とするところは、傘歯車により調整用ツマミの回動軸と直交する脚案内筒の回動軸に手動力を伝達する構成を備えることにより、被支持体の調整方向と調整用ツマミの回動方向とを同一の方向にすることができる高さ調整装置を提供することにある。
【００１２】
また本発明の他の目的とするところは、被支持体に調整脚の突出量を調整するギア機構を複数有する構成を備えることにより、調整したい調整方向と同一の方向に各調整ツマミを操作することができる高さ調整装置を提供することにある。
【００１３】
また本発明の他の目的とするところは、被支持体に調整脚及びギア機構を一つ設ける構成を備えることにより、高さ調整方向と同一の方向に調整用ツマミを操作して被支持体の高さを定めることができる高さ調整装置を提供することにある。
【００１４】
また本発明の他の目的とするところは、本発明の高さ調整装置を備えることにより、投映の高さ方向と調整用ツマミの操作方向とを同一にすることができる投射型映像表示装置を提供することにある。
【課題を解決するための手段】
【００１５】
本発明の高さ調整装置は、被支持体の高さ調整を該被支持体からの突出量で調整する螺子状の調整脚と、該調整脚と螺合して該調整脚を前記被支持体から突出させる螺合部とを備える高さ調整装置において、前記被支持体からの前記調整脚の突出量を調整するギア機構を有しており、該ギア機構は前記高さ調整と同一の調整方向に操作する調整用ツマミを有することを特徴とする。
【００１６】
このような構成の本発明の高さ調整装置では、調整したい調整方向に調整用ツマミを操作すると、同一の調整方向に操作した調整用ツマミの例えば回転に対応して、ギア機構により被支持体からの調整脚の突出量を調整し、被支持体の高さを調整する。
【００１７】
本発明の高さ調整装置は、前記ギア機構は、前記調整用ツマミに設けられた第１歯車と、該第１歯車と螺合する第２歯車を有して回動するとともに、前記調整脚を案内する多角形筒状の脚案内筒と、前記調整脚の一端に固定されており、前記脚案内筒に嵌挿される摺動可能な摺動部とを有することを特徴とする。
【００１８】
このような構成の本発明の高さ調整装置では、調整したい調整方向に調整用ツマミを回動すると、調整用ツマミの第１歯車と螺合する第２歯車と連動して脚案内筒が回動し、脚案内筒と連動して摺動部が回動するとともに調整脚が回動し、螺合部により調整脚が上方又は下方に移動するとともに摺動部が脚案内筒を上方又は下方に摺動して、被支持体からの調整脚の突出量を調整し、被支持体の高さを調整する。
【００１９】
本発明の高さ調整装置は、前記第１歯車及び前記第２歯車が傘歯車であることを特徴とする。
【００２０】
このような構成の本発明の高さ調整装置では、第１及び第２傘歯車により調整用ツマミの回動軸と直交する脚案内筒の回動軸に手動力を伝達して被支持体からの調整脚の突出量を調整し、被支持体の調整方向と調整用ツマミの操作方向とが同一の方向になる。
【００２１】
本発明の高さ調整装置は、前記被支持体が前記ギア機構を複数有しており、一方のギア機構が他方のギア機構に対して逆ネジのギア機構であることを特徴とする。
【００２２】
このような構成の本発明の高さ調整装置では、被支持体の両ギア機構により、調整したい調整方向と同一の方向に各調整ツマミを操作して、被支持体から突出する両調整脚の長さを調整する。
【００２３】
本発明の高さ調整装置は、前記被支持体に前記調整脚及びギア機構がそれぞれ一つ設けられていることを特徴とする。
【００２４】
このような構成の本発明の高さ調整装置では、調整したい調整方向と同一の方向に調整用ツマミを操作して、被支持体から突出する調整脚の長さを調整することにより、高さを調整する。
【００２５】
本発明の投射型映像表示装置は、前記被支持体が、光源と、該光源の光を反射又は透過する映像表示部とを有する筐体であり、前述の高さ調整装置により前記筐体の高さ調整をするようにしてあることを特徴とする。
【００２６】
このような構成の本発明の投射型映像表示装置では、調整したい投映方向に調整用ツマミを回転させることにより、投映高さを調整する調整脚が上方又は下方に移動して、投映高さを調整する。
【発明の効果】
【００２７】
本発明の高さ調整装置は、被支持体の調整方向と同一の方向に調整用ツマミを操作して被支持体の高さを調整するようにしてあるので、調整用ツマミを調整したい方向に操作して被支持体の高さを調整することができるという効果を有する。
【００２８】
本発明の高さ調整装置は、被支持体の調整方向と同一の方向に調整用ツマミを回動させると、調整用ツマミと連動する脚案内筒が回動して、被支持体に対して調整脚を上下方向に移動させるので、調整用ツマミの操作に応じて被支持体からの調整脚の突出量を調整することができるという効果を有する。
【００２９】
本発明の高さ調整装置は、傘歯車により調整用ツマミの回動軸と直交する脚案内筒の回動軸に手動力を伝達しているので、調整用ツマミの操作に応じて被支持体から突出させる調整脚の長さを調整することができ、被支持体の調整方向と調整用ツマミの操作方向とを同一の方向にすることができるという効果を有する。
【００３０】
本発明の高さ調整装置は、被支持体に調整脚の突出量を調整するギア機構を複数有しているので、調整したい調整方向と同一の方向に各調整ツマミを操作することができ、被支持体からの両調整脚の突出量を調整することができるという効果を有する。
【００３１】
本発明の高さ調整装置は、被支持体に調整脚及びギア機構がそれぞれ一つ設けられているので、高さ調整方向と同一の方向に調整用ツマミを操作することにより、被支持体の高さを定めることができるという効果を有する。
【００３２】
本発明の投射型映像表示装置は、本発明の高さ調整装置を備えているので、投映の高さ方向と調整用ツマミの操作方向とを同一にすることができるという効果を有する。
【発明を実施するための最良の形態】
【００３３】
以下、図面に基づき、本発明による高さ調整装置の好適な実施の形態を説明する。
（実施の形態１）
本発明による高さ調整装置を備える投射型映像表示装置を例に挙げて説明する。
図１は本発明による実施の形態１に係る高さ調整装置を備える投射型映像表示装置を示す斜視図である。図２は本発明による実施の形態１に係る投射型映像表示装置の上面を示す平面図である。
【００３４】
実施の形態１に係る高さ調整装置３０は、略矩形状の筐体１２を有する投射型映像表示装置１４（被支持体）に備えられており、投射型映像表示装置１４の投射レンズ１６が配設されている前方の両角の二箇所に設けられた投映高さを調整する調整脚１７、１８と、調整脚１７、１８を支持する基部２０、２０と、基部２０、２０を回動可能に支持する脚台２２、２２と、調整脚１７、１８の固定を解除するレバー４２、４２と、一方の調整脚１８を調整する投映方向と同一の方向に回転させる調整用ツマミ２４とを有している。
なお、図１中、符号１３は調整用ツマミ２４の一部を露出させる開口部を示し、白抜き矢印はレバー４２が調整脚１８の固定（後述するネジ駒３２との螺合）を解除する方向を示し、黒矢印は調整用ツマミ２４の回転方向を示す。
【００３５】
図３は実施の形態１に係るネジ駒機構を示す斜視図である。図４は本発明による実施の形態１に係る高さ調整装置を示す構成図である。図５は図２に示すＡ−Ａ断面図である。図６は図２に示すＢ−Ｂ断面図である。
高さ調整装置３０は、図４乃至図６に示すように、可動な雄ネジである調整脚１８に螺合する又は螺合を解除する螺合部であるネジ駒機構４０と、調整脚１８を回転させるギア機構６０とを備える。
なお、図４中、点線矢印は部品の組み付け方向を示す。
【００３６】
ネジ駒機構４０は、図３に示すように、可動な雄ネジである調整脚１８に螺合する雌ネジのネジ駒３２と、ネジ駒３２と調整脚１８の螺合を解除するレバー４２と、ネジ駒３２及びレバー４２を収容するケース４８とを備える。
ネジ駒３２は、３２の端面に係合部３８と突起部３７を備え、かつ、両側部にアーム３６、３６が設けられており、アーム３６、３６のそれぞれの側端面にピン３９、３９が突設されている。このピン３９、３９でネジ駒３２はケース４８に軸支されている。
【００３７】
レバー４２はネジ駒３２に向かって伸びる両レバー４４、４４を有しており、レバー４４、４４のそれぞれの基部に突設されたピン４６、４６によりケース４８に軸支されており、レバー４２の両レバー４４、４４が、ネジ駒３２の係合部３８、３８に係合可能にしてある。
【００３８】
このようなネジ駒機構４０では、レバー４２を押し上げて回動させると、レバー４２の両レバー４４、４４が傾きネジ駒３２の係合部３８と係合し、ネジ駒３２と調整脚１８の螺合を解除する（図７を参照）。そして、レバー４２への応力を解除すると、ケース４８に突設されたレバー４５によって、ネジ駒３２が押し戻され、ネジ駒３２が調整脚１８に螺合し、かつ、レバー４２を水平に押し戻す（図５を参照）。
【００３９】
ケース４８は調整脚１８を貫通させる貫通孔４９を天地両面に有しており、投射型映像表示装置１４に係る筐体１２の角部に設けられたケース嵌合部５２にケース４８を嵌合可能にしてある。ケース嵌合部５２にケース４８を嵌合させると、ケース４８の両側部に弾性的に形成された爪４７、４７が、ケース嵌合部５２の両側部に形成されている掛止孔５４、５４に填って、ケース４８はケース嵌合部５２に固定される。
【００４０】
図３に示すように、調整脚１８は基部２０に立設された構造であり、調整脚１８の頭部１９は多角形をしており、後述するナット状固定具である多角形軸６２（図４を参照）の内側に設けた多角形の溝に嵌挿可能であり、多角形軸６２が嵌装された状態で調整脚１８の頭部１９は、固定用雄ネジ６４に螺合するようにしてある（図５を参照）。
図４に示すように、ケース嵌合部５２は調整脚１８が貫通する貫通孔５６の縁部に沿って環状に突設された嵌合部５８を天面に有する。
【００４１】
ギア機構６０は、図４乃至図６に示すように、ケース嵌合部５２の貫通孔５６から出入り可能な調整脚１８の頭部１９に固定用雄ネジ６４で固定されるナット状固定具である多角形軸６２と、多角形軸６２を介して調整脚１８を案内する多角形筒状の脚ガイド６６（脚案内筒）と、中央部に第１歯車の傘歯車６８を有する円盤状の調整用ツマミ２４とを備え、脚ガイド６６の周端部には調整用ツマミ２４の傘歯車６８と螺合する第２歯車の傘歯車６７が設けられている。
調整用ツマミ２４は筐体１２に設けられている開口部１３から一部露出し、筐体１２外部から操作できるようになっている（図１及び図４を参照）。
【００４２】
ギア機構６０はギアケース７３に収容されており、ギアケース７３は筐体１２にビス７４で固定されている（図４及び図６を参照）。調整用ツマミ２４の回動軸７１はギアケース７３に回動自在に軸支されている（図６を参照）。
ケース嵌合部５２の貫通孔５６の縁部に沿って突設された円筒状の嵌合部５８は、傘歯車６７の円筒軸穴６５に摺動可能に嵌合し、ケース嵌合部５２が脚ガイド６６の傘歯車６７の円筒部６９を摺動可能に支持している（図５及び図６を参照）。
【００４３】
実施の形態１では、脚ガイド６６の孔の形が、多角形軸６２の平面視に対応する相似形に形成されており（図４を参照）、脚ガイド６６と多角形軸６２とは脚ガイド６６の回動に対して掛止されるようになっている。
したがって、多角形軸６２が脚ガイド６６の案内方向にのみ摺動可能になっている。
なお、実施の形態１では、多角形軸６２を正六角柱にしてある。
【００４４】
このような構成のギア機構６０では、調整用ツマミ２４を回転させると、傘歯車６８が回転し、螺合する傘歯車６７が回転して脚ガイド６６が回転し、脚ガイド６６の回転と連動して、多角形軸６２が回転する。多角形軸６２の回転により調整脚１８が回転する。
したがって、実施の形態１に係るギア機構６０は、調整用ツマミ２４と脚ガイド６６との直交した２軸の間の駆動力伝達をすることができる。
【００４５】
次に、実施の形態１に係る高さ調整装置の動作について説明する。
図７及び図８は実施の形態１に係る調整脚とネジ駒とが螺合を解除している状態を示す概略断面図である。
実施の形態１に係る高さ調整装置３０では、先ず、投射型映像表示装置１４を持ち上げ、レバー４２を回動軸回りに押し上げると、レバー４２の両レバー４４、４４が下方に下がって、両レバー４４、４４が係合部３８、３８を押し、ケース４８に軸支されているピン３９を中心に回転し、調整脚１８とネジ駒３２との螺合が外れ、調整脚１８の固定を解除する（図３、図７又は図８を参照）。
【００４６】
次に、調整脚１８の基部２０を操作し、筐体１２に対して調整脚１８を出し入れすると、多角形軸６２が脚ガイド６６内を摺動して、概略の高さに止めて調整脚１８の突出量Ｈを調整する（図８で示すＨを参照）。
次いで、レバー４２への応力を解除すると、ケース４８に突設されたレバー４５によって、ネジ駒３２が押し戻され、ネジ駒３２が調整脚１８に螺合し、かつ、レバー４２を水平に押し戻す（図３及び図５を参照）。
【００４７】
そして、調整脚１８を調整したい投映方向が上方ならば、上方に調整用ツマミ２４を回転させ、投映方向が下方ならば、下方に調整用ツマミ２４を回転させる（図１を参照）。
このとき、調整用ツマミ２４が上方へ回転すると、傘歯車６８が回転し、螺合する傘歯車６７が右回りに回転して、脚ガイド６６が右回りに回転し、脚ガイド６６の右回りの回転と連動して、多角形軸６２が右回りに回転する。多角形軸６２の右回りの回転により調整脚１８が右回りに回転し、ネジ駒３２との螺合により、筐体１２に対して調整脚１８が伸び、高さが高くなる（図６を参照）。
【００４８】
さらに、調整用ツマミ２４が下方へ回転すると、傘歯車６８が回転し、螺合する傘歯車６７が左回りに回転して、脚ガイド６６が左回りに回転し、脚ガイド６６の左回りの回転と連動して、多角形軸６２が左回りに回転する。多角形軸６２の左回りの回転により調整脚１８が左回りに回転し、ネジ駒３２との螺合により、筐体１２に対して調整脚１８が縮み、高さが低くなる（図６を参照）。
【００４９】
したがって、実施の形態１に係る高さ調整装置３０は、投映の高さ方向と調整用ツマミ２４の回転方向とを同一に、つまり操作方向とを同一にすることができる。
【００５０】
実施の形態１では、調整脚１７、１８を二箇所設けているが、調整用ツマミ２４を投射型映像表示装置１４に向かって右側だけに設けた例であるが（図１を参照）、調整用ツマミ２４を投射型映像表示装置１４に対して対称に配置する場合、つまり他方の調整脚１７にも調整用ツマミを設けるときは、調整脚１７及びネジ駒３２（図４及び図５を参照）のネジを逆ネジにし、ギア機構６０を収容するギアケース７３を対称形状にすればよい。
【００５１】
（実施の形態２）
上述した実施の形態１では、調整脚を筐体の前方両角にそれぞれ一つ設けたが、投射型映像表示装置の前面側の中央に一つ設けるようにしてもよい。
図９は実施の形態２に係る高さ調整装置を備える投射型映像表示装置を示す斜視図である。
実施の形態２では、調整脚１８が投射型映像表示装置１４の略中央に設けられており、上述した実施の形態１とネジ駒機構４０及びギア機構６０は実質的に同一であるが、上述した調整脚１８、ネジ駒３２及びギア機構６０の傘歯車６７、６８が逆ネジであり、ギアケース７３が対称形状になっている。
なお、図９中、黒矢印は調整用ツマミ２４の回転方向を示す。
【００５２】
このような構成の実施の形態２では、調整したい投映高さ方向に調整用ツマミ２４を回転させることにより、傘歯車６７、６８によって連動して多角形の孔を有する脚ガイド６６が回転して、固定用雄ネジ６４によって投映高さを調整する調整脚１８に固定されている多角形軸６２が回転し、投映高さを調整する調整脚１８が上方又は下方に移動して、投映高さを微調整する。
【００５３】
したがって、実施の形態２に係る高さ調整装置は、投映高さ調整方向と調整用ツマミ２４の回転方向とを同一に、つまり操作方向とを同一にすることができる。
【００５４】
なお、実施の形態１及び実施の形態２では、高さ調整装置を備える電子機器の例として投射型映像表示装置を挙げたが、これに限られず、例えばＸ−Ｙステージを有する計測機器としてもよい。
【００５５】
（実施の形態３）
図１０は実施の形態３に係る本発明の高さ調整装置を備える投射型映像表示装置を示す概略図である。
投射型映像表示装置８０は、本発明の高さ調整装置３０を備え、ランプバルブ８２を反射鏡８４に取り付けた構造の高輝度放電灯８６と、高輝度放電灯８６の光をカラーホイール部８８に集光するコンデンサーレンズ９０と、ＲＧＢの三原色に区分けされたカラーホイール部８８を通過した各単色光の照度分布を均一にするロッドレンズ９２と、実像をそのまま伝達するリレーレンズ部９４と、各単色光と同期して単色の映像を作り出して時分割フルカラー表現をする反射型の映像表示素子９６（映像表示部）と、投射レンズ１６とを備えている。
なお、図１０中、符号９８は電源示す。
【００５６】
このような投射型映像表示装置８０では、ランプバルブ８２より発光された白色光は、コンデンサーレンズ９０により、カラーホイール部８８上のカラーフィルタを透過して、スクリーン上の品位を向上させる為のロッドレンズ９２に集光する。ロッドレンズ９２及びリレーレンズ部９４を通過した光は、映像表示素子９６によって映像信号に応じて選択的に反射する。この反射光を投射レンズ１６がスクリーンに結像し、映像を表示する。
【００５７】
このような構成の実施の形態３では、調整したい投映方向に調整用ツマミ２４を回転させることにより、投映高さを調整する調整脚１８が上方又は下方に移動して、投映高さを微調整する。
したがって、実施の形態３に係る本発明の高さ調整装置３０を備える投射型映像表示装置８０は、投映高さの調整方向と調整用ツマミ２４の回転方向とを同一にすることができる。
【００５８】
なお、実施の形態３では、本発明の高さ調整装置を備える映像表示装置として、カラーホイール部を有する投射型映像表示装置を例に挙げたが、これに限らず、例えば、背後から光りを当て、液晶シャッターと三原色フィルタを組み合わせた液晶表示パネル（映像表示部）を透過して拡大投映することにより大画面を得る方式の液晶プロジェクターでもよい。
また光源として高輝度放電灯を例に挙げたが、ＬＥＤを光源とするものでもよい。
【図面の簡単な説明】
【００５９】
【図１】本発明による実施の形態１に係る高さ調整装置を備える投射型映像表示装置を示す斜視図である。
【図２】本発明による実施の形態１に係る投射型映像表示装置の上面を示す平面図である。
【図３】実施の形態１に係るネジ駒機構を示す斜視図である。
【図４】本発明による実施の形態１に係る高さ調整装置を示す構成図である。
【図５】図２に示すＡ−Ａ断面図である。
【図６】図２に示すＢ−Ｂ断面図である。
【図７】実施の形態１に係る調整脚とネジ駒とが螺合を解除している状態を示す概略断面図である。
【図８】実施の形態１に係る調整脚とネジ駒とが螺合を解除している状態を示す概略断面図である。
【図９】実施の形態２に係る高さ調整装置を備える投射型映像表示装置を示す斜視図である。
【図１０】実施の形態３に係る本発明の高さ調整装置を備える投射型映像表示装置を示す概略図である。
【図１１】従来の投映高さ調整装置を備えたプロジェクターを示す斜視図である。
【図１２】従来の投映高さ調整装置を示す断面図である。
【符号の説明】
【００６０】
１４  投射型映像表示装置（被支持体）
１８  調整脚
２４  調整用ツマミ
３０  高さ調整装置
４０  ネジ駒機構（螺合部）
６０  ギア機構
６６  脚ガイド（脚案内筒）
６７  傘歯車（第２歯車）
６８  傘歯車（第１歯車）
９６  映像表示素子（映像表示部）
【図１】
2008116577.tif 000003
【図２】
2008116577.tif 000004
【図３】
2008116577.tif 000005
【図４】
2008116577.tif 000006
【図５】
2008116577.tif 000007
【図６】
2008116577.tif 000008
【図７】
2008116577.tif 000009
【図８】
2008116577.tif 000010
【図９】
2008116577.tif 000011
【図１０】
2008116577.tif 000012
【図１１】
2008116577.tif 000013
【図１２】
2008116577.tif 000014